(57)【特許請求の範囲】
【請求項１】
一枚の平板状の導電板を、後加工で分断される連続部を介して回路形状に沿って打ち抜き、その後、所要の端部を折り曲げ加工してタブを有するバスバーを設け、該バスバーを自動的に一枚の絶縁板上に載置し、該絶縁板の端子孔に上記タブを挿入した後、該絶縁板と上記バスバーとを加締め固定すると同時に回路毎に上記連続部で分断する一方、
上記バスバーと同一の上記絶縁板に固定される後入れバスバーを設け、該バスバーの両端を折り曲げ加工してタブを形成すると共に該バスバーの中間位置に上向きの把持用タブを突設しており、該把持用タブを作業員が把持して、該後入れバスバーのタブを上記絶縁板の端子孔に挿入して絶縁板に載置している絶縁板へのバスバーの固定方法。
【請求項２】
上記後入れバスバーに設けられる全てのタブは上記把持用タブと逆の下向きであると共に、上記把持用タブはオプション用の電気接続用タブを兼ねられる位置に設けている請求項１に記載の絶縁板へのバスバーの固定方法。
【発明の詳細な説明】
【０００１】
【発明の属する技術分野】
本発明は、絶縁板へのバスバーの固定方法に関し、電気接続箱の内部に収容されるもので、特に、絶縁板上に後入れで固定されるバスバーの後入れ作業性を高めるようにするものである。
【０００２】
【従来の技術】
この種のバスバーは、図５（Ａ）に示すように、平板状の導電板１を図中クロス斜線で示す回路形状に沿って打ち抜いた後、所要の端部を折り曲げ加工して図５（Ｂ）に示すようにタブ２ａを有するバスバー２を形成している。バスバー２は形成された後、図６に示すように、自動的に絶縁板３上に載置され、加締め固定されると同時に回路毎に連結部で分断される。
【０００３】
積層を少なくするため、一つの絶縁板上に配置するバスバーを多くすると、バスバーのタブを展開した時、干渉することにより打ち抜けない回路が発生する。そのため、図５（Ａ）に示すように、別の導電板１で打ち抜いて形成したバスバー４を絶縁板上に後入れすることがある。このような後入れバスバー４は、作業員が手で把持して絶縁板３の所要位置に載置することが必要となる。其の際、後入れバスバー４に設けたタブ４ａを絶縁板３の端子穴３ａに挿入する必要がある。
【０００４】
【発明が解決しようとする課題】
上記後入れバスバー４に設けられたタブ４ａが、図７（Ａ）に示すように、全て下向きの場合、後入れバスバーを把持する箇所がないため、小さいタブ４ａを絶縁板３の細い端子穴３ａに挿入して、絶縁板３の所要位置に後入れバスバー４を位置決め固定する作業を容易に行うことができない問題がある。
同様に、図７（Ｂ）に示すように、後入れバスバー４に上向きのタブ４ｂが存在しても、下向きのタブ４ａの近傍に無い場合には、やはり該タブ４ａを絶縁板３の穴３ａに挿入する作業を容易に行うことができず、作業性が悪い問題がある。
【０００５】
本発明は上記問題に鑑みてなされたもので、後入れバスバーの絶縁板への取付作業性の向上を図ることを課題としている。
【０００６】
上記課題を解決するため、本発明は、一枚の平板状の導電板を、後加工で分断される連続部を介して回路形状に沿って打ち抜き、その後、所要の端部を折り曲げ加工してタブを有するバスバーを設け、該バスバーを自動的に一枚の絶縁板上に載置し、該絶縁板の端子孔に上記タブを挿入した後、該絶縁板と上記バスバーとを加締め固定すると同時に回路毎に上記連続部で分断する一方、
上記バスバーと同一の上記絶縁板に固定される後入れバスバーを設け、該バスバーの両端を折り曲げ加工してタブを形成すると共に該バスバーの中間位置に上向きの把持用タブを突設しており、該把持用タブを作業員が把持して、該後入れバスバーのタブを上記絶縁板の端子孔に挿入して絶縁板に載置している絶縁板へのバスバーの固定方法を提供している。
【０００７】
上記把持用タブを設ける後入れバスバーは、該後入れバスバーに形成されている全ての電気接続用タブが、上記把持用タブと反対方向の下向きに突出されているものである。あるいは、上下方向の電気接続用のタブは設けられているが、下向きの電気接続用タブの近傍に上向きの電気接続用タブが設けられていないものにおいて、上記下向きのタブの近傍に上向きの把持用タブを設けている。
【０００８】
上記のように、把持用タブを設けておくと、作業員はこの把持用タブを持って後入れバスバーを絶縁板上に載置することができ、其の際、バスバーに設けた下向きの電気接続用タブを絶縁板の端子穴に容易に挿入させることができ、作業性を高めることができる。
【０００９】
また、上記把持用タブはオプション用の電気接続用タブとしても用いることもできる。
【００１０】
また、上記把持用タブには、先端から圧接用の溝を設けた形状としてもよい。該構成とすると、オプション回路の端子のタブ又は電線と容易に圧接接続させることができる。
【００１１】
【発明の実施の形態】
以下、本発明を図面を参照して説明する。
図１は第１実施形態の後入れバスバー１０を示す。該後入れバスバー１０には、水平板部１０ａの両側に、下向きの電気接続用のタブ１０ｂ、１０ｃが設けられているが、上向きのタブは設けられていない。
【００１２】
上記後入れバスバー１０に、下向きのタブ１０ｂと１０ｃとの中間位置に上向きの把持用タブ１０ｄを突設している。該把持用タブ１０ｄの上端には圧接用の溝１０ｄ−１を設けている。
【００１３】
上記のように把持用タブ１０ｄを設けた後入れバスバー１０は、図２（Ａ）に示すように、把持用タブ１０ｄを作業員が把持して、絶縁板３の上方から、タブ１０ｂ、１０ｃを絶縁板３の端子穴３ａに挿入しながら、後入れバスバー１０を図２（Ｂ）に示すように、絶縁板３の所定位置に載置する。
【００１４】
上記把持用タブ１０ｄは、図３に示すように、オプション回路が必要となる場合、該オプション回路の端子２０のタブ２０ａを溝１０ｄ−１に圧入させることで、電気接続用のタブとして利用することができる。
【００１５】
図４は第２実施形態を示す。第２実施形態の後入れバスバー１０’には、その水平板部１０ａ’の両端に上向きのタブ１０ｂ’と下向きのタブ１０ｃ’が設けられている。該後入れバスバー１０’には、下向きのタブ１０ｃ’に近接した位置に上向きの把持用タブ１０ｄ’を設けている。
【００１６】
上記後入れバスバー１０’を絶縁板上に載置する時、把持用タブ１０ｄ’を把持すると、下向きタブ１０ｃ’を絶縁板の端子穴に挿入しやすくなる。其の際、上下にバランスが取れて、タブ１０ｃ’の端子穴挿入を精度良く行うことができる。
【００１７】
【発明の効果】
以上の説明より明らかなように、本発明によれば、後入れバスバーに把持用タブを設けたため、絶縁板上の所要位置に後入れバスバーを容易に載置することができ、作業性を高めることができる。
また、上記把持用タブはオプション時に電気接続用のタブとしても利用することができ、実用的価値の大なるものである。
【図面の簡単な説明】
【図１】本発明の第１実施形態の後入れバスバーを示す斜視図である。
【図２】（Ａ）（Ｂ）は上記後入れバスバーを絶縁板上に載置する状態を示す概略図である。
【図３】上記後入れバスバーに設けた把持用タブにオプション回路の端子を接続している状態を示す概略図である。
【図４】第２実施形態の後入れバスバーの斜視図である。
【図５】（Ａ）（Ｂ）はバスバーの作成工程を示す概略図である。
【図６】バスバーを絶縁板に取り付ける状態を示す概略図である。
【図７】（Ａ）（Ｂ）は従来の後入れバスバーを示す斜視図である。
【符号の説明】
１０  後入れバスバー
１０ａ  水平板部
１０ｂ、１０ｃ  電気接続用のタブ
１０ｄ  把持用タブ
１０ｄ−１  溝
２０  オプション用の端子
【図１】
0003578053.tif 000002
【図２】
0003578053.tif 000003
【図３】
0003578053.tif 000004
【図４】
0003578053.tif 000005
【図５】
0003578053.tif 000006
【図６】
0003578053.tif 000007
【図７】
0003578053.tif 000008